(57)【要約】  コンピュータ（２）と双方向通信可能に接続され、コンピュータ（２）上で動作する楽曲再生アプリケーション（２１）により再生中の楽曲データを制御する音響再生制御装置は、表示部（４３）と、コンピュータ（２）上で動作する楽曲再生アプリケーション（２１）の種別を判定するアプリケーション判定部（４５）と、アプリケーション判定部（４５）により判定された楽曲再生アプリケーション（２１）の種別に応じて、表示部（４３）上に表示される表示画像を制御する表示画像制御部（４６）と、を備えている。
2019130596.tif 000002
【特許請求の範囲】
【請求項１】
コンピュータと双方向通信可能に接続され、前記コンピュータ上で動作する楽曲再生アプリケーションにより再生中の楽曲データを制御する音響再生制御装置であって、
表示部と、
前記コンピュータ上で動作する楽曲再生アプリケーションの種別を判定するアプリケーション判定部と、
前記アプリケーション判定部により判定された楽曲再生アプリケーションの種別に応じて、前記表示部上に表示される表示画像を制御する表示画像制御部と、
を備えていることを特徴とする音響再生制御装置。
【請求項２】
請求項１に記載の音響再生制御装置において、
機器本体に回転可能に設けられる回転操作子を備え、
前記表示部は、前記回転操作子に配置されていることを特徴とする音響再生制御装置。
【請求項３】
請求項１または請求項２に記載の音響再生制御装置において、
前記表示画像制御部は、前記アプリケーション判定部により判定された楽曲再生アプリケーションにより表示可能な楽曲進行状況を示す表示画像を、前記表示部に表示させることを特徴とする音響再生制御装置。
【発明の詳細な説明】
【技術分野】
【０００１】
本発明は、音響再生制御装置に関する。
【背景技術】
【０００２】
従来、コンピュータ等の電子機器上に外部機器を接続した場合に、接続された外部機器に関する情報を電子機器の表示部上に表示させることが知られている。
たとえば、特許文献１には、携帯型電子機器に外部機器が接続されたとき、接続された外部機器に応じて、携帯型電子機器の表示部上に表示される画像を表示させる技術が開示されている。
また、特許文献２には、コンピュータに接続された外部機器に応じて、外部機器の種類に応じたアプリケーションプログラムに関する情報を表示部上に提示する技術が開示されている。【０００３】
ところで、ＤＪコントローラ等の音響再生制御装置では、コンピュータが接続され、コンピュータ中で再生されている楽曲に、ジョグダイヤルによるスクラッチ操作を行って再生したり、ＤＪコントローラ上で種々の楽音効果を付与して再生したりすることが行われている。
コンピュータには、種々の楽曲再生アプリケーションがインストール可能であり、ＤＪコントローラ上でコンピュータとの接続状態を直ちに視認できるのが、操作者にとっては好ましい。
【先行技術文献】
【特許文献】
【０００４】
【特許文献１】特開平１０−１９８６２７号公報
【特許文献２】特開２０１４−１７４７４２号公報
【発明の概要】
【発明が解決しようとする課題】
【０００５】
しかしながら、コンピュータにインストールされ、実行動作中の楽曲再生アプリケーションの機能はさまざまであり、あるアプリケーションでは、表示可能な情報が、他のアプリケーションでは、表示することができないという課題がある。【０００６】
本発明の目的は、コンピュータに接続される音響再生制御装置において、コンピュータ上で動作中の楽曲再生アプリケーションに応じて、適切な表示を行うことのできる音響再生制御装置を提供することにある。
【課題を解決するための手段】
【０００７】
本発明の音響再生制御装置は、コンピュータと双方向通信可能に接続され、前記コンピュータ上で動作する楽曲再生アプリケーションにより再生中の楽曲データを制御する音響制御装置であって、表示部と、前記コンピュータ上で動作する楽曲再生アプリケーションの種別を判定するアプリケーション判定部と、前記アプリケーション判定部により判定された楽曲再生アプリケーションに応じて、前記表示部上に表示される表示画像を制御する表示画像制御部とを備えていることを特徴とする。
【図面の簡単な説明】
【０００８】
【図１】本発明の音響再生制御システムの構造を示す模式図。
【図２】前記実施形態におけるＤＪコントローラの制御部を示すブロック図。
【図３】前記実施形態における表示画像の一態様を示す模式図。
【図４】前記実施形態における表示画像の他の態様を示す模式図。
【図５】前記実施形態における表示画像の他の態様を示す模式図。
【図６】前記実施形態における表示画像の他の態様を示す模式図。
【図７】前記実施形態の作用を説明するためのフローチャート。
【発明を実施するための形態】
【０００９】
［１］全体構成
以下、本発明の実施の形態を図面に基づいて説明する。図１には、本発明の実施の形態に係る楽曲データ再生制御システム１が示されている、楽曲データ再生制御システム１は、コンピュータ２と、このコンピュータ２にＵＳＢケーブル３を介して接続されるＤＪコントローラ４とを備える。
コンピュータ２は、ＣＰＵおよびハードディスク等の記憶装置を備え、記憶装置内に記憶されたＭＰ３等の楽曲データの再生を行う。楽曲データの再生は、ＣＰＵ上で実行される楽曲再生アプリケーションソフトウェアによって行われ、再生された楽曲データは、ＵＳＢケーブル３を介して、ＤＪコントローラ４に出力される。また、ＵＳＢケーブル３には、ＤＪコントローラ４のミキサー部４１、デッキ部４２Ｌ、４２Ｒを操作することにより生成された再生制御信号が出力され、コンピュータ２に入力される。コンピュータ２では、ＤＪコントローラ４から出力された再生制御信号に基づいて、再生中の楽曲データに種々の音響効果を付与する。
【００１０】
音響機器として例示されるＤＪコントローラ４は、中央に配置されるミキサー部４１と、ミキサー部４１の左右に配置されるデッキ部４２Ｌ、４２Ｒとを備える。なお、本発明にいう音響機器は、本実施の形態のように、音響再生制御装置だけでなく、楽曲データを再生する音響再生装置も含む概念である。
ミキサー部４１は、コンピュータ２から出力されたオーディオデータの切り替え、各チャンネルの音量調整、音響効果を付与する部分であり、第１チャンネル調整部４１１から第４チャンネル調整部４１４、およびマイク調整部４１５を備える。
ミキサー部４１の右下には、エフェクト部４１Ｅが設けられている。エフェクト部４１Ｅは、再生楽曲に対してエフェクトを付与するために設けられている。エフェクト部４１Ｅは、詳しくは後述するが、エフェクト選択スイッチ４１６、チャンネル選択スイッチ４１７、エフェクト量調整スイッチ４１８、エフェクト付与スイッチ４１９、およびビート変更スイッチ４２０を備える。
【００１１】
デッキ部４２Ｌ、４２Ｒは、操作者が操作をすることにより、コンピュータ２から出力された楽曲データに様々な効果を付与する部分であり、ジョグダイヤル４２１、テンポスライダー４２２、パフォーマンスパッド４２３、ＣＵＥボタン４２４、プレイ／ポーズボタン４２５、ループボタン４２６、デッキセレクトボタン４２７、およびロードボタン４２８を備える。
【００１２】
回転操作子として例示されるジョグダイヤル４２１は、デッキ部４２Ｌ、４２Ｒの機器本体に回転可能に設けられ、操作者がジョグダイヤル４２１の回転操作をすることにより、再生される楽曲データの早送り再生や、逆転再生を行うことができる。
ジョグダイヤル４２１の中央には、液晶表示装置から構成される表示部４３が設けられている。表示部４３には、再生中の楽曲データのＢＰＭ（Beats Per Minute）値、経過時間、進行状況、拍位置、および再生中の楽曲データの進行に合わせたＬＰレコードの３３ＲＰＭによる回転状態が表示され、操作者に楽曲データの再生進行を視認させている。
【００１３】
テンポスライダー４２２は、再生される楽曲データのテンポを調整するスイッチである。パフォーマンスパッド４２３は、再生中の楽曲データへの効果を切り替えるボタンであり、操作者がパッドを押すと、再生中の楽曲データに対して、瞬間的にループ、キュー、キーシフト、サンプラー等の効果を付与することができる。
ＣＵＥボタン４２４は、再生する楽曲の頭出しを行うボタンである。
【００１４】
プレイ／ポーズボタン４２５は、楽曲データの再生開始、再生中の楽曲データのポーズを行うボタンである。ループボタン４２６は、再生中の楽曲データのループ再生を行うボタンである。
デッキセレクトボタン４２７は、ミキサー部４１の第１チャンネル調整部４１１から第４チャンネル調整部４１４のうち、どのチャンネルで再生中の楽曲データを操作するかを選択するボタンである。本実施の形態では、左側のデッキ部４２Ｌで第１チャンネル調整部４１１と第３チャンネル調整部４１３との切り替えを行い、右側のデッキ部４２Ｒで第２チャンネル調整部４１２と第４チャンネル調整部４１４との切り替えを行うことができる。
【００１５】
ロードボタン４２８は、コンピュータ２から楽曲データをロードするボタンであり、コンピュータ２上で再生する楽曲データが選択された後、このロードボタン４２８を押すと、楽曲データが第１チャンネル調整部４１１から第４チャンネル調整部４１４のいずれかのチャンネルにロードされる。
【００１６】
［２］表示部４３の制御部４４の構造
図２には、表示部４３の表示制御を行う制御部４４の機能ブロック図が示されている。制御部４４は、アプリケーション判定部４５および表示画像制御部４６を備える。
コンピュータ２は、動作中の楽曲再生アプリケーションソフトウェア２１の名称、予め楽曲再生アプリケーションソフトウェア２１により解析されたＢＰＭ値、再生中の楽曲データの進行状況、拍位置、経過時間等の楽曲解析データを、ＵＳＢケーブル３を介して、制御部４４に出力する。
【００１７】
アプリケーション判定部４５は、コンピュータ２で動作中の楽曲再生アプリケーションソフトウェア２１の種別を判定する。具体的には、アプリケーション判定部４５は、コンピュータ２からＵＳＢケーブル３を介して出力された、楽曲再生アプリケーションソフトウェア２１のヘッダに書き込まれたソフトウェアの名称、品番等から、楽曲再生アプリケーションソフトウェア２１の種別を判定する。
また、アプリケーション判定部４５は、楽曲再生アプリケーションソフトウェア２１から出力される楽曲解析データを受信し、表示画像制御部４６に出力する。なお、アプリケーション判定部４５は、ヘッダに書き込まれたソフトウェアの名称ではなく、受信した楽曲解析データに基づいて、楽曲再生アプリケーションソフトウェア２１の種別を判定してもよい。
【００１８】
表示画像制御部４６は、アプリケーション判定部４５により判定された楽曲再生アプリケーションソフトウェア２１の種別に応じて、表示部４３上に表示される表示画像を制御する。
コンピュータ２のＣＰＵ上で動作する楽曲再生アプリケーションソフトウェア２１が、ＤＪコントローラ４の専用品である場合、楽曲再生アプリケーションソフトウェア２１から、楽曲のＢＰＭ値、楽曲の再生経過時間、楽曲の進行状況情報、楽曲の拍位置情報が出力される。
【００１９】
表示画像制御部４６は、これらの情報に基づいて、図３に示す画像Ｇ１を表示部４３上に表示する。具体的には、表示画像制御部４６は、ＢＰＭ値画像Ｇ１１、楽曲の再生経過時間画像Ｇ１２、拍位置情報表示画像Ｇ１３、楽曲の進行状況画像Ｇ１４を組み合わせた画像Ｇ１を生成し、表示部４３上に表示する。また、表示画像制御部４６は、楽曲の拍位置情報に基づいて、楽曲の再生に応じてＬＰレコードの３３ＲＰＭと同期して回転する回転表示画像Ｇ１５を生成し、表示部４３上に回転表示する。
【００２０】
一方、楽曲再生アプリケーションソフトウェア２１が専用品でなく、表示画像制御部４６が、特定のＭＩＤＩを受けている汎用品である場合、表示画像制御部４６は、図４に示す画像Ｇ２を表示部４３上に表示する。表示画像制御部４６は、ＢＰＭ値画像Ｇ２１および楽曲の再生経過時間画像Ｇ２２、回転表示画像Ｇ２３を組み合わせた画像Ｇ２を生成し、表示部４３上に表示する。なお、楽曲再生アプリケーションソフトウェア２１からは、楽曲の進行状況情報、楽曲の拍位置情報が出力されないので、表示画像制御部４６は、進行状況画像、拍位置画像の表示を規制し、表示部４３上に表示する。
【００２１】
また、表示画像制御部４６は、楽曲再生アプリケーションソフトウェア２１がコンピュータ２のＣＰＵ上で動作していない場合、図５に示す画像Ｇ３を表示部４３上に表示する。具体的には、表示画像制御部４６は、ＤＪコントローラ４の製造会社名のロゴ画像Ｇ３１を表示部４３上に表示する。なお、図示を略したが、ＤＪコントローラ４の入力がアナログのＰＨＯＮＯ／ＬＩＮＥとなっている場合、表示画像制御部４６は、「ＥＸＴＥＲＮＡＬ  ＩＮＰＵＴ」という入力状態を示す画像を表示する。
表示画像制御部４６は、コンピュータ２のＣＰＵ上で楽曲再生アプリケーションソフトウェア２１が、ＤＪコントローラ４との接続認証中である場合、図６に示す画像Ｇ４を表示部４３上に表示する。表示画像制御部４６は、ロゴ画像Ｇ４１の下に、接続認証中を示す画像Ｇ４２を表示部４３上に表示する。
【００２２】
［３］実施の形態の作用および効果
次に、本実施の形態の作用を図７に示すフローチャートに基づいて説明する。
アプリケーション判定部４５は、ＵＳＢケーブル３によりコンピュータ２と接続されているか否かを判定する（手順Ｓ１）。
アプリケーション判定部４５がコンピュータ２と接続されていないと判定した場合、表示画像制御部４６は、図５に示す画像Ｇ３を表示部４３上に表示する（手順Ｓ２）。
【００２３】
アプリケーション判定部４５がコンピュータ２と接続されていると判定した場合、アプリケーション判定部４５は、コンピュータ２と接続されたチャンネルがアクティブなチャンネルであるか否かを判定する（手順Ｓ３）。
アプリケーション判定部４５がアクティブなチャンネルでないと判定した場合、表示画像制御部４６は、図５に示す画像Ｇ３を表示部４３上に表示する（手順Ｓ２）。
【００２４】
アプリケーション判定部４５がアクティブなチャンネルであると判定した場合、アプリケーション判定部４５は、コンピュータ２のＣＰＵ上で動作する楽曲再生アプリケーションソフトウェア２１が専用品であるか否かを判定する（手順Ｓ４）。
アプリケーション判定部４５が専用品でなく汎用品であると判定した場合、表示画像制御部４６は、図６に示す画像Ｇ４を表示部４３上に表示し、コンピュータ２から特定のＭＩＤＩを受けているか否かを判定する（手順Ｓ５）。
特定のＭＩＤＩを受けていないと判定された場合、表示画像制御部４６は、図５に示す画像Ｇ３を表示部４３上に表示する（手順Ｓ２）。
【００２５】
特定のＭＩＤＩを受けていると判定された場合、表示画像制御部４６は、図４に示す画像Ｇ２を表示部４３上に表示する（手順Ｓ６）。
アプリケーション判定部４５が専用品であると判定した場合、表示画像制御部４６は、図３に示す画像Ｇ１を表示部４３上に表示する（手順Ｓ７）。
【００２６】
本実施の形態によれば、以下のような効果がある。
表示画像制御部４６が、コンピュータ２のＣＰＵ上で動作する楽曲再生アプリケーションソフトウェア２１の種別に応じて、表示部４３上に画像Ｇ１や画像Ｇ２表示するので、情報量に応じたＤＪコントローラ４の表示部４３上に適切な表示を行うことができる。
【００２７】
表示部４３が、ジョグダイヤル４２１上に配置されているので、操作者が視認し易く、再生中の楽曲データに関する情報を適切に認識できる。
表示画像制御部４６が、楽曲再生アプリケーションソフトウェア２１により表示可能な拍位置情報表示画像Ｇ１３、楽曲の進行状況画像Ｇ１４を表示しているので、操作者は、楽曲の進行状況を確認して、適切なＤＪパフォーマンスを行うことができる。
【００２８】
［４］実施の形態の変形
本発明は、前述した実施の形態に限定されるものではなく、以下に示すような変形をも含むものである。
前述した実施形態では、表示部４３は、ＤＪコントローラ４のジョグダイヤル４２１上に配置されていたが、本発明はこれに限られない。たとえば、デッキ部４２Ｌ、４２Ｒの上部に表示部を配置してもよい。
【００２９】
前述した実施形態では、専用品による楽曲再生アプリケーションソフトウェア２１により、表示部４３上に表示される画像Ｇ１は、ＢＰＭ値画像Ｇ１１、楽曲の再生経過時間画像Ｇ１２、拍位置情報表示画像Ｇ１３、楽曲の進行状況画像Ｇ１４を組み合わせた画像であったがこれに限られず、楽曲名等を示す画像を組み合わせて表示するようにしてもよい。
その他、本発明の具体的な構造および形状等は、本発明の目的を達成できる範囲で他の構造等としてもよい。
【符号の説明】
【００３０】
１…楽曲データ再生制御システム、２…コンピュータ、３…ＵＳＢケーブル、４…ＤＪコントローラ、２１…楽曲再生アプリケーションソフトウェア、４１…ミキサー部、４１Ｅ…エフェクト部、４２Ｌ…デッキ部、４２Ｒ…デッキ部、４３…表示部、４４…制御部、４５…アプリケーション判定部、４６…表示画像制御部、４１１…第１チャンネル調整部、４１２…第２チャンネル調整部、４１３…第３チャンネル調整部、４１４…第４チャンネル調整部、４１５…マイク調整部、４１６…エフェクト選択スイッチ、４１７…チャンネル選択スイッチ、４１８…エフェクト量調整スイッチ、４１９…エフェクト付与スイッチ、４２０…ビート変更スイッチ、４２１…ジョグダイヤル、４２２…テンポスライダー、４２３…パフォーマンスパッド、４２４…ＣＵＥボタン、４２５…プレイ／ポーズボタン、４２６…ループボタン、４２７…デッキセレクトボタン、４２８…ロードボタン、Ｇ１…画像、Ｇ１１…ＢＰＭ値画像、Ｇ１２…再生経過時間画像、Ｇ１３…拍位置情報表示画像、Ｇ１４…進行状況画像、Ｇ１５…回転表示画像、Ｇ２…画像、Ｇ２１…ＢＰＭ値画像、Ｇ２２…再生経過時間画像、Ｇ２３…回転表示画像、Ｇ３…画像、Ｇ３１…ロゴ画像、Ｇ４…画像、Ｇ４１…ロゴ画像、Ｇ４２…画像、Ｓ１…手順、Ｓ２…手順、Ｓ３…手順、Ｓ４…手順、Ｓ５…手順、Ｓ６…手順、Ｓ７…手順。
【図１】
2019130596.tif 000003
【図２】
2019130596.tif 000004
【図３】
2019130596.tif 000005
【図４】
2019130596.tif 000006
【図５】
2019130596.tif 000007
【図６】
2019130596.tif 000008
【図７】
2019130596.tif 000009
【国際調査報告】
2019130596.tif 000010
2019130596.tif 000011
2019130596.tif 000012